(57)【要約】【課題】濾過を中断せずに、蛇腹状のフィルターの目詰まりを解消して、濾過装置の連続運転を可能とする。【解決手段】円筒形状又は円盤形状で外周部分の内外間で濾過を実施するフィルター体１と、フィルター体外周面に配設した流入路２１と、フィルター体の内方と連通した流出路とを備えてなる濾過装置において、フィルター体に、直径方向に出入する蛇腹状フィルター１８を採用すると共に、前記フィルターを放射状に配置した仕切板１５で区分して外周面に開口部１７ａを備えた多数の濾過流路１７を設け、前記濾過流路の形成角度に対応してフィルター体を間欠回転せしめる駆動機構を付設し、間欠回転停止位置における前記濾過流路の外周開口部と対面し、且つフィルター内からの処理済み液の流出量Ｂより少ない流出量Ｃとなる逆洗流出路２３を付設してなる。【選択図】　図１
2004113881.tif 000002
【特許請求の範囲】
【請求項１】
円筒形状又は円盤形状で外周部分の内外間で濾過を実施するフィルター体と、フィルター体外周面に配設した流入路と、フィルター体の内方と連通した流出路とを備えてなる濾過装置において、フィルター体に、直径方向に出入する蛇腹状フィルターを採用すると共に、前記フィルターを放射状に配置した仕切板で区分して外周面に開口部を備えた多数の濾過流路を設け、前記濾過流路の形成角度に対応してフィルター体を間欠回転せしめる駆動機構を付設し、間欠回転停止位置における前記濾過流路の外周開口部と対面し、且つフィルター内からの処理済み液の流出量より少ない流出量となる逆洗流出路を付設してなることを特徴とする濾過装置。
【請求項２】
フィルター体を、外周側に所定の間隔を有して流入路とする外殻体に、回動自在で且つ回動軸中心に流出路を形成して組み込むと共に、前記外殻体にフィルター体の外周面に当接し且つ外殻体外側と連通する逆洗流出路を設けてなる請求項１記載の濾過装置。
【請求項３】
逆洗流出路の隣接濾過流路開口部への相対移動に際して、各停止位置に対面する濾過流路開口部以外の濾過流路と連通しないように、濾過開口部の大きさと対応して、逆洗流出路における濾過流路開口部との当接面に鍔部を設けてなる請求項２記載の濾過装置。
【発明の詳細な説明】
【０００１】
【産業上の利用分野】
本発明は、逆洗機能を備えたロータリーフィルターを備えた濾過装置に関するものである。
【０００２】
【従来の技術及び発明が解決しようとする課題】
ロータリーフィルターは、周知の通り円筒形状又は円盤形状で外周部分の内外間で濾過を実現するもので、一般的には外周側から濾過対象液を流し込み或いは圧入し、フィルター内の濾液を取り出す構成としている。
【０００３】
フィルターは当然に所定の期間使用すると目詰まりが生じ、効率的な濾過を実施することができない。このため濾過方向に逆流する逆洗を実施して目詰まりの解消を行っているが、逆洗用の配管並びにバルブの組み込みが必要となり、管路構成が煩雑となる。しかも逆洗時には、当該フィルターが使用できないことになり、その間当該機器での濾過作業が中断する。
【０００４】
また濾過連続運転中にフィルターで分離された固形物を除去する手段として、特開平８−２１５５１９号公報には、ロータリーフィルターの外周に当接する掻き落とし板を設ける技術が開示されている。しかし前記手段では、フィルターに詰まった細かい固形物まで除去することはできない。
【０００５】
そこで本発明は、濾過面積を大きくすることで濾過効率を向上させる蛇腹状フィルターを採用でき、且つ濾過の連続運転を行いながら、同時に逆洗も実施する新規なロータリーフィルターを備えた濾過装置を提案したものである。
【０００６】
【課題を解決する手段】
本発明に係る濾過装置は、円筒形状又は円盤形状で外周部分の内外間で濾過を実施するフィルター体と、フィルター体外周面に配設した流入路と、フィルター体の内方と連通した流出路とを備えてなる濾過装置において、フィルター体に、直径方向に出入する蛇腹状フィルターを採用すると共に、前記フィルターを放射状に配置した仕切板で区分して外周面に開口部を備えた多数の濾過流路を設け、前記濾過流路の形成角度に対応してフィルター体を間欠回転せしめる駆動機構を付設し、間欠回転停止位置における前記濾過流路の外周開口部と対面し、且つフィルター内からの処理済み液の流出量より少ない流出量となる逆洗流出路を付設してなることを特徴とするものである。
【０００７】
従って処理対象液（固液混合液）をフィルター体で濾過すると同時に、濾過済み液の一部は逆洗流出路への流れ込み、当該部分のフィルターを逆洗することになるので、駆動機構の間欠動作によって順次逆洗位置を変更することで、連続濾過作業を行いながら同時にフィルターの目詰まりが解消される。
【０００８】
【実施の形態】
次に本発明の実施の形態について説明する。実施形態に示したフィルター装置は、クローズ１段型の本体部分のみを例示したもので、処理対象液（固液混合液）Ａの供給ポンプ、フィルター体の駆動機構及び処理済み液Ｂの事後処理機構については省略した。
【０００９】
例示したフィルター装置の本体は、フィルター体１と外殻体２とで構成される。フィルター体１は、円筒形状又は円盤形状で外周にフィルター部１１を設けて内部室１２を形成する。また端面部分は中心を貫通する位置に回動軸１３と、内部室１２と外部とを連通する流出路１４を設けてなる。
【００１０】
前記のフィルター部１１は、外周端から中心に適宜長さだけ伸びる仕切板１５を放射状に等間隔（例えば１５°間隔）で設け、少なくとも仕切板１５の上下端（端面部分）は、上下板１６で塞いでなる。また仕切板１５の外周部分は適宜な幅広部（上下左右とも）１５ａとしておき、仕切板１５の間に濾過流路１７を形成し、濾過流路１７の外周側に開口部１７ａを設けてなる。
【００１１】
そして前記仕切板１５間にフィルター１８を配置したもので、フィルター１８は、直径方向への出入形状とした蛇腹状に配置してなるものである。更にフィルター１８の内方に目皿板１９を配設してなる。尚フィルター１８の材質並びにメッシュの大きさは、濾過対象によって適宜定められる。
【００１２】
外殻体２は、前記のフィルター体１を内部に収納する形状で、フィルター体１が内部で回動できるように中心軸（回動軸１３：一端側は流出路１４となる）を外部に突出させ、フィルター体１の外周側に所定の間隔を有して流入路２１とし、更に流入路２１には、処理対象液Ａの供給路２２を連設する。
【００１３】
また前記外殻体２の所定位置（駆動機構によって間欠移動するフィルター体１の停止位置における開口部１７ａと対面する位置）に逆洗流出路２３を設けたものである。この逆洗流出路２３の大きさは、仕切板１５で仕切られた濾過流路単位と対応する範囲（例えば１５°、３０°の角度幅に対応する）と一致させたもので、フィルター体外周面と当接する面に適宜幅の鍔部２３ａを形成したものである。
【００１４】
しかしてフィルター体１が、その仕切板１５で区切られた一つの範囲（濾過流路１７の整数倍単位）の開口部１７ａと、外殻体２の逆洗流出路２３の位置を一致させ、供給路２２から処理対象液Ａを所定の圧力をもって供給すると、流入路２１からフィルター１８を通過（濾過）して、フィルター体内部室１２に流入する。内部室１２に流入したものは濾過済み液Ｂであり、その大部分は、流出路１４から放出されるが、一部はフィルター１８ａを逆流して逆洗流出路２３に流出する。この逆洗流出路２３からの逆洗液Ｃは、再度処理対象液Ａとして循環させる。
【００１５】
そして所定時間濾過作業を継続したら、フィルター体１を間欠移動させて、仕切板１５で区切られた次の範囲の開口部１７ａと逆洗流出路２３とを一致させる。
【００１６】
従って濾過作業を実施しているあいだ、一部のフィルター１８ａの逆洗が実施されることになるので、フィルターの目詰まりを解消しながら濾過作業を継続できるものである。特にフィルター体１の間欠移動に際して、開口部１７ａと鍔部２３ａを適宜な大きさとしておくと、移動前と移動後の開口部が一緒に逆洗流出路２３と連通することを防止できるので、逆洗流出路２３からの放出液Ｃの総ては必ずフィルター１８の逆洗に供されたものとなるので、効率的且つ確実な逆洗がなされる。
【００１７】
尚本発明は、前記実施形態に限定されるものではなく、フィルターを多段構成としたり、濾過機構自体を多段構成としても良いし、また流出路も中心軸とせずに、溢流方式としても良い。
【００１８】
【発明の効果】
以上のとおり本発明は、ロータリーフィルター体を備えた濾過装置において、蛇腹状フィルターを採用すると共に、フィルターの一部とのみ連通して、フィルター内からの処理済み液の流出量より少ない流出量となる逆洗流出路を設け、フィルター位置と逆洗流出路が相対位置を変更させる駆動機構を設けてなる濾過装置で、濾過作業と同時にフィルターの一部を逆洗できるので、効率的な濾過を実施できると共に、当該フィルターの目詰まりを考慮することなく連続的な濾過が実施できるものである。
【図面の簡単な説明】
【図１】本発明の実施形態の模式図。
【図２】同一部切断した斜視図。
【図３】同フィルター体の一部切断した平面図。
【符号の説明】
１　　　　フィルター体
１１　　　フィルター部
１２　　　内部室
１３　　　回動軸
１４　　　流出路
１５　　　仕切板
１６　　　上下板
１７　　　濾過流路
１７ａ　　開口部
１８　　　フィルター
１９　　　目皿板
２　　　　外殻体
２１　　　流入路
２２　　　供給路
２３　　　逆洗流出路
２３ａ　　鍔部
【図１】
2004113881.tif 000003
【図２】
2004113881.tif 000004
【図３】
2004113881.tif 000005